(57)【要約】【課題】電子顕微鏡で観察するための粉体を包埋した包埋樹脂を、型枠から取り出さずに、イオンビーム加工装置で断面を加工することができる電子顕微鏡観察の包埋樹脂試料の作製方法を提供する。【解決手段】表面に有底の穴を形成したプレートの穴の中で包埋樹脂を作製し、穴の中に包埋樹脂を保持した前記プレートを切断し、前記プレートの断面をイオンビーム加工装置に導入し、前記プレートの裏面方向から前記包埋樹脂にイオンビームを照射することにより、包埋樹脂の断面を研磨する工程を備える電子顕微鏡観察用の包埋樹脂試料の作製方法。【選択図】図３
2019045327.tif 000002
【特許請求の範囲】
【請求項１】
表面に有底の穴を形成したプレートを準備する工程と、
前記穴の開口部から穴の中に試料と樹脂の混合液を注いで固化させ、穴の中で包埋樹脂を作製する工程と、
穴の中に包埋樹脂を保持した前記プレートを切断し、包埋樹脂を保持した前記プレート断片を作製する工程と、
前記プレートの断面をイオンビーム加工装置に導入し、前記プレートの裏面方向から前記包埋樹脂にイオンビームを照射することにより、包埋樹脂の断面を研磨する工程と、
を備える電子顕微鏡観察用の包埋樹脂試料の作製方法。
【請求項２】
前記包埋樹脂の断面を研磨する工程において、前記イオンビーム加工装置に導入されたプレート断片には、前記プレートの裏面側にイオンビームの前記包埋樹脂への照射を部分的に遮る遮蔽板が配置され、イオンビームは前記遮蔽板と前記包埋樹脂にまたがって照射される請求項１記載の電子顕微鏡観察用の包埋樹脂試料の作製方法。
【請求項３】
前記プレートに切断位置を示す確認線又は切り込みを設ける工程を更に備える請求項１又は２記載の電子顕微鏡観察用の包埋樹脂試料の作製方法。
【請求項４】
前記プレートの有底の穴は、貫通孔を有するプレートの一方の面に封止体を取り付け、貫通孔の一方の開口部を封止体により塞ぐことにより形成される請求項１乃至３のいずれかに記載の電子顕微鏡観察用の包埋樹脂試料の作製方法。
【請求項５】
前記封止体は、金属素材、単結晶素材またはアモルファス素材で構成される請求項４記載の電子顕微鏡観察用の包埋樹脂試料の作製方法。
【請求項６】
請求項１記載の電子顕微鏡観察用の包埋樹脂試料の作製方法に用いられる型枠であって、貫通孔を有するプレートの一方の面に封止体を取り付け、貫通孔の一方の開口部を封止体により塞ぐことにより形成される型枠。
【発明の詳細な説明】
【技術分野】
【０００１】
本発明は、電子顕微鏡観察用試料をイオンビーム加工装置を用いて作製する方法に関し、特に粉体の包埋樹脂試料を作製する方法に関する。
【背景技術】
【０００２】
走査電子顕微鏡（ＳＥＭ）、透過電子顕微鏡（ＴＥＭ）等を用いて、粉体を構成する微小粒子の断面を観察することにより内部構造の解析がなされている。
微小粒子の断面を電子顕微鏡観察するための従来の方法が、特許文献１に記載されている。図 ７（ａ）は、粉体の包埋樹脂試料を作製するために使用する型枠である。図 ７（ｂ）は、図 ７（ａ）のＬＬ断面を示した図である。図 ７（ｂ）に示すように、型枠の貫通孔Ｃ１に液状の樹脂と粉体との混合物を注いで、樹脂Ｃ２が固まるのを待つ。樹脂Ｃ２が固まった後、図 ７（ｃ）に示すように、粉体Ｃ３を含む樹脂Ｃ２を型枠から取り出し、点線Ｃ４で切断する。樹脂Ｃ２から切断された包埋樹脂試料Ｃ５は、図 ７（ｄ）のように、イオンビーム加工装置の試料台Ｄと遮蔽板Ｓに、挟まれて装着される。そして、遮蔽板Ｓから突き出た部分にイオンビームを当てられて、断面Ｃ６が形成される。
【先行技術文献】
【特許文献】
【０００３】
【特許文献１】特開２０１３−１６７５２５
【発明の概要】
【発明が解決しようとする課題】
【０００４】
しかしながら、特許文献１に記載の技術では、粉体を包埋した樹脂を型枠から取り出し、観察部位を選択して切断し、イオンビーム加工装置の試料台と遮蔽板で挟む必要があり、小さな包埋樹脂試料に対して繊細な加工作業を行わねばならず、作業に熟練を要する。また、イオンビーム加工装置で包埋樹脂試料の表面を加工する際に、熱に弱い粉体の場合には、加工熱による融解や変形等のダメージが試料に発生してしまう恐れがあった。
【課題を解決するための手段】
【０００５】
上記課題を解決し、本発明の目的を達成するため、本発明は、表面に有底の穴を形成したプレートを準備する工程と、
前記穴の開口部から穴の中に試料と樹脂の混合液を注いで固化させ、穴の中で包埋樹脂を作製する工程と、
穴の中に包埋樹脂を保持した前記プレートを切断し、包埋樹脂を保持した前記プレート断片を政策する工程と、
前記プレートの断面をイオンビーム加工装置に導入し、前記プレートの裏面方向から前記包埋樹脂にイオンビームを照射することにより、包埋樹脂の断面を研磨する工程と、
を備えたことを特徴とする。
【発明の効果】
【０００６】
本発明によれば、型枠から包埋樹脂試料を取り出すことなく、加工作業および取付作業が行えるため、熟練を要することなく作業が可能となる。また、イオンビーム加工により包埋樹脂試料に発生した熱が型枠を介して放散されるため、熱によるダメージを低減させることができる。
【図面の簡単な説明】
【０００７】
【図１】本実施形態に係る穴の開いたプレートを示した図である。
【図２】本実施形態に係るプレートの穴に樹脂と粉体の混合物を流し込んだ状態を示した図である。
【図３】本実施形態に係るプレートの断面を示した図である。
【図４】本実施形態に係る電子顕微鏡の観察用試料を回転研磨する模式図である。
【図５】本実施形態に係る電子顕微鏡の観察用試料の断面をイオンビームで加工する模式図である。
【図６】本実施形態に係るプレートの穴に樹脂と粉体の混合物を流し込んだ状態を示した図である。
【図７】従来例に係る試料作製の手順を示した図である。
【発明を実施するための形態】
【０００８】
以下、図面を用いて本発明の実施の形態について説明する。
【０００９】
実施例１
（１）準備
図 １に示すように、穴２が設けられたプレート１を型枠として用意する。
【００１０】
プレート１には、シリコンウエハから直方体状に切り出されたシリコン基板が用いられる。プレート１の寸法は、例えば、厚さ１ｍｍ×幅４ｍｍ×奥行き８ｍｍであり、穴２は、直径２ｍｍ程度の貫通孔である。
【００１１】
プレート１は、図 ２に示すように、アルミ板３（封止体）の上に密着固定させられて、穴２の一方の開口部が塞がれる。その際に、プレート１の下面に接着剤を塗布して接着固着するのが好ましい。アルミ板３は、プレート１よりも薄い０．１ｍｍ程度の厚さである。
【００１２】
（２）包埋
粉体と液状の樹脂との混合物が作成され、混合物が脱泡処理された状態でプレート１の穴２に注がれる。樹脂は、耐熱性のあるものが用いられる。樹脂が硬化するまで数時間放置することによって、粉体を樹脂に含ませた包埋樹脂４が作製される。穴２の内部で、包埋樹脂４は、アルミ板３とも穴２の内部側面とも密着して硬化している。
【００１３】
（３）切断
図 ２（ａ）に示すように、プレート１の上面Ａには、穴２を分断する位置に、確認線５が、書き入れられる。確認線５に沿って切断器具を移動させることにより、包埋樹脂４を含んだプレート１とアルミ板３とを切断２分割すると、それぞれの分割片には、図 ２（ｂ）に示すように、包埋樹脂４の断面が露出している。切断器具には、バンドソーやロースピードカッターなどの金属を切断できる器具が用いられる。包埋樹脂４ごとプレート１とアルミ板３とを一体として切断しているので、包埋樹脂４とアルミ板３と密着させた状態を保つことができる。図 ３に示した包埋樹脂４の断面には、粉体６が存在する。粉体６は、樹脂との密度の差により、樹脂全体が硬化したときには、プレート１の下面Ｂ側に沈殿している。以後、包埋樹脂４を含んだプレート１とアルミ板３とが、確認線５に沿って切断されたものを観察用試料７と呼ぶ。
【００１４】
（４）機械研磨
図 ４に示すように、観察用試料７の断面を研磨器の研磨面８に向けて、観察用試料７が研磨面８に対して垂直になるようにセットする。観察用試料７の断面が１０ｕｍ程度以下の凹凸になるまで研磨を行う。これは、イオンビーム加工装置による観察用試料７の断面の加工時に、観察用試料７の断面にある凹凸の影響によって生じるスジ状の加工痕を出現させないようにするためである。
【００１５】
（５）イオンビームによる断面処理
機械研磨終了後、観察用試料７は、イオンビーム加工装置で断面処理される。図 ５は、イオンビーム加工装置の模式図である。イオンビーム加工装置は、真空チャンバー内で観察用試料７に向けてイオンビーム１１を照射して、観察用試料７の断面処理をする機能を備えている。イオンビーム１１は、真空チャンバー内でイオン銃１０から発生し、２から６ｋｅＶ程度のエネルギーを持った状態で観察用試料７に照射される。
【００１６】
観察用試料７は、図 ５に示すように、アルミ板３がイオン銃側に向けられて、試料ホルダ１４に取り付けられ、イオン銃１０から発生するイオンビーム１１の光軸１２に対して垂直に配置される。そして、観察用試料７の切削する部分以外をイオンビームから覆い隠すように、遮蔽板１３が観察用試料７の上に載せられる。イオンビームがアルミ板３側から観察用試料７および遮蔽板１３に向けて照射されると、観察用試料７の遮蔽板１３から露出した部分がアルミ板３と共に切削加工され、平滑化された断面が作成される。
【００１７】
イオン銃側に向けられたアルミ板３は、包埋樹脂４と密着していることによりイオンビームによる切削加工時に包埋樹脂４から発生する熱を効率よく吸収し遮蔽板１３へ伝えて逃がす役割を果たし、プレート１は、切削加工時に発生する熱を試料ホルダ１４に伝えて逃がす役割を果たす。このため、試料へ与える熱による融解や変形等のダメージを軽減することができる。アルミ板以外でも、一般的に熱伝導率が高く、イオンビームでの処理の際に、構成する物質の硬度の違いによってスジ状の加工痕が生じない素材を用いることが好ましく、例えば、アモルファスもしくは単結晶のシートを用いることができる。
【００１８】
（６）観察
断面処理が行われた観察用試料７は、走査電子顕微鏡によって、粉体６が露出している箇所を観察される。
【００１９】
本発明では、プレートごと包埋樹脂を切断した後は、切断されたプレートを手で持って機械研磨作業、イオンビーム加工装置、走査電子顕微鏡へのセット及び取り出しができるので、型枠から取り出した包埋樹脂をそのまま取り扱わねばならなかった従来に比べ、試料の取扱いが容易になり、熟練を必要とせずに試料作製を行うことができる。
【００２０】
実施例２
実施例１の変形例を説明する。図 ６は、本実施形態に係る穴の開いたプレート１を示した斜視図である。実施例１と同様に、プレート１には、シリコンウエハから直方体状に切り出されたシリコン基板が用いられる。
【００２１】
（１）準備
図 ６（ｂ）に示すように、直径２ｍｍ程度の有底の穴１５が開けられたプレート１を用意する。プレート１の穴１５は、例えば、フッ化水素と硝酸との混合液をプレート１の上面Ａに滴下し、表面を溶して形成されるが、機械加工により形成しても良い。
【００２２】
図 ６に示すように、実施例１で用いたアルミ板３（図 ２参照）は除かれている。穴１５の底の部分のシリコン基板は、実施例１のアルミ板３同様に、イオンビームによる切削加工時に包埋樹脂から発生する熱を吸収し、遮蔽板へ伝えて逃がす役割を果たす。
【００２３】
（２）包埋
実施例1と同様に、粉体を樹脂に含ませた包埋樹脂４が作製される（図 ６）。穴１５の内部で、包埋樹脂４は、穴１５の内部側面と密着して硬化している。
【００２４】
（３）割断（切断）
図 ６（ａ）に示すように、確認線５として、プレート１の上面Ａには、穴１５を分断する位置に、切り込み１６が入れられる。包埋樹脂４を含んだプレート１が、液体窒素中に入れられて、切り込み１６に沿って割断２分割されると、それぞれの割断片には、図 ６（ｂ）に示すように、包埋樹脂４の断面が露出している。
【００２５】
実施例1と同様に、図 ６（ｂ）に示した包埋樹脂４の断面には、粉体６が存在する。粉体は、樹脂との密度の差により、樹脂全体が硬化したときには、プレート１の下面Ｂ側に沈殿している。以後、包埋樹脂４を含んだプレート１が割断されたものを観察用試料７と呼ぶ。
【００２６】
（４）機械研磨
実施例１と同様に、観察用試料７の断面を機械研磨する。
【００２７】
前述の（３）割断において、包埋樹脂４がうまく割れずに、包埋樹脂４が分割されたプレート１の一方の断片にくっついてしまい、プレート１の割断面から大幅にはみ出す場合がある。この場合には、機械研磨で割断面から大幅にはみ出し部分の包埋樹脂４を研磨し、その後、プレート１の割断面と包埋樹脂４とが平滑となるように、機械研磨をすればよい。
【００２８】
（５）イオンビームによる断面処理
機械研磨終了後、観察用試料７は、イオンビーム加工装置で断面処理される。観察用試料７は、プレート１の下面Ｂがイオン銃側に向けられて、試料ホルダ１４に取り付けられ、イオン銃１０から発生するイオンビーム１１の光軸１２に対して垂直に配置される。そして、実施例１同様に、観察用試料７の切削する部分以外を遮蔽板１３で覆い隠すように遮蔽板１３が観察用試料７の上に載せられる。イオンビームがプレート１の下面Ｂ側から観察用試料７および遮蔽板１３に向けて照射されると、観察用試料７の遮蔽板１３から露出した部分がプレート１の下面Ｂと共に切削加工され、平滑化された断面が作製される。
【００２９】
イオン銃側に向けられた下面Ｂは、熱伝導率の高いシリコンであり、包埋樹脂４と密着していることにより、イオンビームによる切削加工時に包埋樹脂から発生する熱を効率よく吸収し遮蔽板１３へ伝えて逃がす役割を果たす。このため、試料へ与える熱による融解や変形等のダメージを軽減することができる。また、シリコン基板以外でも、一般的に熱伝導率が高く、イオンビームでの処理の際に、構成する物質の硬度の違いによってスジ状の加工痕が生じない素材を用いることが好ましく、例えば、アモルファスもしくは単結晶のプレートを用いることができる。
【００３０】
（６）観察
実施例1同様に、断面処理が行われた観察用試料７は、走査電子顕微鏡によって、粉体が露出している箇所を観察される。
【符号の説明】
【００３１】
プレート１、アルミ板３、包埋樹脂４、粉体６、観察用試料７、研磨面８、遮蔽板１３
【図１】
2019045327.tif 000003
【図２】
2019045327.tif 000004
【図３】
2019045327.tif 000005
【図４】
2019045327.tif 000006
【図５】
2019045327.tif 000007
【図６】
2019045327.tif 000008
【図７】
2019045327.tif 000009